(57)【要約】【課題】複数の光源間又は照明装置間の色度のばらつきを抑制することができる照明装置及び該照明装置の製造方法を提供する。【解決手段】伝熱抵抗が異なる複数種類の伝熱シートを予め用意し、基準となる色度からのＬＥＤ２，２…が発する光の色度のずれに応じてＬＥＤ２，２…をランク分けし、ランクに応じた一種類の伝熱シートを複数種類の伝熱シートから選択し、選択した伝熱シート３をＬＥＤ２，２…及び放熱器１間に介装しているから、ＬＥＤモジュール２，２…が発する光の色度が前記基準となる色度よりも色温度の高い方（／低い方）に偏倚している場合に、伝熱抵抗が小（／大）である伝熱シートを選択することにより、ＬＥＤモジュール２，２…が発する光の青色と黄色とを結ぶ方向の色度を修正することができ、複数のＬＥＤモジュール２，２…間又は照明装置１０，１０…間の色度のばらつきを抑制することができる。【選択図】図４
2010044873.tif 000002
【特許請求の範囲】
【請求項１】
発する色の色度が温度依存性を有する光源と、該光源からの熱を放熱する放熱器と、前記光源からの熱を前記放熱器に伝達する伝熱部材とを備える照明装置において、前記伝熱部材の伝熱抵抗を調整することにより、前記光源からの光の色度を調整することを特徴とする照明装置。
【請求項２】
前記伝熱部材は、前記光源からの光の色度が所望の色度領域に含まれるように、伝熱抵抗が調整されることを特徴とする請求項１に記載の照明装置。
【請求項３】
前記光源は、ＬＥＤ素子と、該ＬＥＤ素子からの光により励起される蛍光体とを備えるＬＥＤであり、前記伝熱部材は、前記ＬＥＤが発する光の色度が基準となる色度よりも色温度の高い方（／低い方）に偏倚している場合に、伝熱抵抗が小（／大）となるように調整されることを特徴とする請求項１又は２に記載の照明装置
【請求項４】
前記伝熱部材は、シート状をなしており、厚み、伝熱面積及び材料のうち少なくとも一つを変えることにより、所望の伝熱抵抗を有するようにしてあることを特徴とする請求項１から３の何れか一つに記載の照明装置
【請求項５】
発する光の色度が温度依存性を有する光源と、該光源からの熱を放散する放熱器と、前記光源及び放熱器間に介装された伝熱部材とを備える照明装置の製造方法において、伝熱抵抗が異なる複数種類の伝熱部材を予め用意し、基準となる色度からの前記光源が発する光の色度のずれに応じて該光源をランク分けし、ランクに応じた一種類の伝熱部材を前記複数種類の伝熱部材から選択し、選択した伝熱部材を前記光源及び放熱器間に介装することを特徴とする照明装置の製造方法。
【請求項６】
前記光源は、ＬＥＤ素子と、該ＬＥＤ素子からの光により励起される蛍光体とを備えるＬＥＤであり、該ＬＥＤが発する光の色度が前記基準となる色度よりも色温度の高い方（／低い方）に偏倚している場合に、伝熱抵抗が小（／大）である伝熱部材を前記複数種類の伝熱部材から選択することを特徴とする請求項５に記載の照明装置の製造方法。
【請求項７】
前記複数種類の伝熱部材夫々は、シート状をなしており、厚み、伝熱面積及び材料のうち少なくとも一つを異ならせることにより、異なる伝熱抵抗を有するようにしてあることを特徴とする請求項５又は６に記載の照明装置の製造方法。
【発明の詳細な説明】
【技術分野】
【０００１】
本発明は、発する光の色度が温度依存性を有する光源と、該光源からの熱を放散する放熱器と、前記光源及び放熱器間に介装された伝熱部材とを備える照明装置及び該照明装置の製造方法に関する。
【０００２】
従来、照明装置の光源として、白熱電球又は蛍光灯が広く用いられている。近年、発光ダイオード（以下、ＬＥＤという）の高輝度化に伴い、これらの光源に代えて、低消費電力、長寿命等の特性を有するＬＥＤが照明装置の光源として用いられている（例えば、特許文献１参照）。
【０００３】
特許文献１に開示された照明装置は、複数のＬＥＤを光源として用いており、天井材に設けられた取付孔に取付けて用いられる所謂ダウンライトである。
【特許文献１】特開２００７−２６５９６１号公報
【発明の開示】
【発明が解決しようとする課題】
【０００４】
ところで、擬似白色のＬＥＤは、ＬＥＤ素子と、該ＬＥＤ素子からの光により励起される蛍光体と、ＬＥＤ素子を封止し、蛍光体が分散された封止樹脂とを備えてなる。ＬＥＤからの光は、ＬＥＤ素子が発する光と、該光により励起されて蛍光体が発する光との合成光である。このため、ＬＥＤが発する光の色度は、ＬＥＤ素子に関するばらつき（ＬＥＤ素子が発する光の波長ずれ、輝度のばらつき）と、蛍光体に関するばらつき（封止樹脂内に含まれる蛍光体の量のばらつき、沈降による封止樹脂内の蛍光体の分布の偏り）の両方に起因してばらつきが生じることになる。特許文献１の照明装置においては、複数のＬＥＤを用いているから、該複数のＬＥＤ間に色度のばらつきが生じるという問題があった。また、ダウンライトは、同一室内にて複数用いられることが多く、複数のダウンライト間において、照明光の色度のばらつきが生じるという問題があった。
【０００５】
本発明は斯かる事情に鑑みてなされたものであり、複数の光源間又は照明装置間の色度のばらつきを抑制することができる照明装置及び該照明装置の製造方法を提供することを目的とする。
【課題を解決するための手段】
【０００６】
本発明に係る照明装置は、発する色の色度が温度依存性を有する光源と、該光源からの熱を放熱する放熱器と、前記光源からの熱を前記放熱器に伝達する伝熱部材とを備える照明装置において、前記伝熱部材の伝熱抵抗を調整することにより、前記光源からの光の色度を調整することを特徴とする。
【０００７】
本発明にあっては、光源からの熱を放熱器に伝達する伝熱部材の伝熱抵抗を調整することにより、光源からの光の色度を調整しており、伝熱抵抗を適切に設定することにより、複数の光源間又は照明装置間の色度のばらつきを抑制することが可能となる。
【０００８】
本発明に係る照明装置は、前記伝熱部材は、前記光源からの光の色度が所望の色度領域に含まれるように、伝熱抵抗が調整されることを特徴とする。
【０００９】
本発明にあっては、光源からの光の色度が所望の色度領域に含まれるように、伝熱部材の伝熱抵抗が調整してあるから、複数の光源間又は照明装置間の色度のばらつきを抑制することができる。
【００１０】
本発明に係る照明装置は、前記光源は、ＬＥＤ素子と、該ＬＥＤ素子からの光により励起される蛍光体とを備えるＬＥＤであり、前記伝熱部材は、前記ＬＥＤが発する光の色度が基準となる色度よりも色温度の高い方（／低い方）に偏倚している場合に、伝熱抵抗が小（／大）となるように調整されることを特徴とする。
【００１１】
本発明にあっては、ＬＥＤの色度が前記基準となる色度よりも色温度の高い方（／低い方）に偏倚している場合に、伝熱抵抗が小（／大）となるように伝熱部材を調整してあり、ＬＥＤは、温度の高／低に応じて、発する光の色度が色温度の高い方／低い方に偏倚する温度依存性を有しているから、例えば、色温度の高い方に偏倚している場合に伝熱部材の伝熱抵抗を小とすることにより、ＬＥＤの温度を低くすることができ、色温度の低い方向に調整することができるから、照明光の色度を基準となる色度に近づけることが可能となり、複数の光源間又は照明装置間の色度のばらつきを抑制することが可能となる。
【００１２】
本発明に係る照明装置は、前記伝熱部材は、シート状をなしており、厚み、伝熱面積及び材料のうち少なくとも一つを変えることにより、所望の伝熱抵抗を有するようにしてあることを特徴とする。
【００１３】
本発明にあっては、シート状をなす伝熱部材の伝熱抵抗を、厚み、伝熱面積及び材料のうち少なくとも一つを変えることにより、所望の伝熱抵抗を有するようにしてあり、例えば、枚数を変えることを含む厚みを変えるという簡単な構成にて、複数の光源間又は照明装置間の色度のばらつきを抑制することができる。
【００１４】
本発明に係る照明装置の製造方法は、発する光の色度が温度依存性を有する光源と、該光源からの熱を放散する放熱器と、前記光源及び放熱器間に介装された伝熱部材とを備える照明装置の製造方法において、伝熱抵抗が異なる複数種類の伝熱部材を予め用意し、基準となる色度からの前記光源が発する光の色度のずれに応じて該光源をランク分けし、ランクに応じた一種類の伝熱部材を前記複数種類の伝熱部材から選択し、選択した伝熱部材を前記光源及び放熱器間に介装することを特徴とする。
【００１５】
本発明にあっては、光源を色度のずれに応じてランク分けし、ランクに応じた一種類の伝熱部材を複数種類の伝熱部材から選択して設けているから、前記光源の色度のずれを打ち消す方向になるように、伝熱部材の選択を適切に行うことにより、温度依存性を有する光源からの照明光の色度を基準となる色度に近づけることが可能となり、複数の光源間又は照明装置間の色度のばらつきを抑制することが可能となる。
【００１６】
本発明に係る照明装置の製造方法は、前記光源は、ＬＥＤ素子と、該ＬＥＤ素子からの光により励起される蛍光体とを備えるＬＥＤであり、該ＬＥＤが発する光の色度が前記基準となる色度よりも色温度の高い方（／低い方）に偏倚している場合に、伝熱抵抗が小（／大）である伝熱部材を前記複数種類の伝熱部材から選択することを特徴とする。
【００１７】
本発明にあっては、ＬＥＤの色度が前記基準となる色度よりも色温度の高い方（／低い方）に偏倚している場合に、伝熱抵抗が小（／大）である伝熱部材を選択しており、ＬＥＤは、温度の高／低に応じて、発する光の色度が色温度の高い方／低い方に偏倚する温度依存性を有しているから、例えば、色温度の高い方に偏倚している場合に伝熱抵抗が小さい伝熱部材を選択することにより、ＬＥＤの温度を低くすることができ、色温度の低い方向に調整することができるから、照明光の色度を基準となる色度に近づけることが可能となり、複数の光源間又は照明装置間の色度のばらつきを抑制することが可能となる。
【００１８】
本発明に係る照明装置の製造方法は、前記複数種類の伝熱部材夫々は、シート状をなしており、厚み、伝熱面積及び材料のうち少なくとも一つを異ならせることにより、異なる伝熱抵抗を有するようにしてあることを特徴とする。
【００１９】
本発明にあっては、シート状をなす複数種類の伝熱部材の伝熱抵抗を、厚み、伝熱面積及び材料のうち少なくとも一つを異ならせることにより異ならせており、例えば、枚数を変えることを含む厚みを異ならせるという簡単な構成にて、複数の光源間又は照明装置間の色度のばらつきを抑制することができる。
【発明の効果】
【００２０】
本発明によれば、複数の光源間又は照明装置間の色度のばらつきを抑制することができる。
【発明を実施するための最良の形態】
【００２１】
以下、本発明をその実施の形態を示す図面に基づいて詳述する。
（実施の形態１）
図１は、本発明の実施の形態１に係る照明装置の外観斜視図である。図２は、照明装置の模式的側面図であり、一部を部分断面にて示している。図３は、図２の III−III 線による矢視図であり、一部を部分断面にて示している。
【００２２】
図において１は、アルミニウム等の金属製の放熱器である。放熱器１は、略円板状の伝熱板１１を有しており、伝熱板１１の一面１１ａには、矩形板状の複数の放熱板１２，１２…が平行をなして立設してあり、これら複数の放熱板１２，１２…の略中央を通り、該複数の放熱板１２，１２…に直交するように連結板（図示せず）が立設してある。なお、伝熱板１１の略中央には配線用の貫通孔１１ｃが設けてある。
【００２３】
放熱器１の伝熱板１１の周縁部には、矩形板状の固定部１３，１３…が伝熱板１１の径方向に直交するように、周方向に３等配をなして立設してある。固定部１３，１３…は、複数の放熱板１２，１２…に夫々連設されて一体的に形成してある。なお、放熱器１は、ダイキャストにより一体成形してもよいし、押出加工又は切削加工により形成してもよい。
【００２４】
放熱器１の伝熱板１１の他面１１ｂには、図３に示すように、光源としての複数（図において６つ）のＬＥＤモジュール２，２…が周方向に等配をなして取付けてある。図４は、図２に示した照明装置１０の模式的側面図におけるＬＥＤモジュール２近傍の部分拡大図である。ＬＥＤモジュール２は、矩形のセラミック（例えば、酸化アルミニウム）基板２１と、該セラミック基板２１の一面の中央部に密集して実装された複数（例えば、３６個）のＬＥＤ素子及び該複数のＬＥＤ素子を封止し、蛍光体が分散されたシリコン樹脂等の封止樹脂を有する発光部２２と、入力端子及び出力端子とを備えてなる。ＬＥＤモジュール２は、青色ＬＥＤ素子と、該青色ＬＥＤ素子からの光により励起されて発光する黄色蛍光体及び赤色蛍光体とを備える電球色のＬＥＤモジュールである。
【００２５】
図５は、電球色のＬＥＤモジュールが発する光の分光分布の概念図であり、横軸は波長を、縦軸は比エネルギを夫々示している。なお、本図は、説明の便宜上、概念的に示しており、実際のスペクトル形状とは異なる。電球色のＬＥＤモジュールは、青色ＬＥＤ素子が発する青色光のスペクトルと、該青色光により励起されて黄色蛍光体及び赤色蛍光体が発する黄色光及び赤色光のスペクトルとを有しており、図中に実線にて示すように、長波長域にピーク波長があり、該ピーク波長を挟んで広い波長域に亘って分布する光を発する。なお、実線にて示すスペクトルは、基準となる電球色光のスペクトルである。
【００２６】
ところで、ＬＥＤモジュールが発する光の色度は、ＬＥＤ素子に関するばらつき（ＬＥＤ素子が発する光の波長ずれ、輝度のばらつき）と、蛍光体に関するばらつき（封止樹脂内に含まれる蛍光体の量のばらつき、沈降による封止樹脂内の蛍光体の分布の偏り）の両方に起因してばらつきが生じることになる。そして、電球色のＬＥＤモジュールは、異なる２種類の蛍光体を用いているから、ＬＥＤモジュールが発する光の色度のばらつきが大きくなる。
【００２７】
図６は、電球色のＬＥＤモジュールが発する光の色度のばらつきの説明図である。図６は、ＸＹＺ表色系のｘｙ色度図における電球色の色度座標近傍を拡大して示している。基準となる電球色の色度の座標は、図中の領域Ａの略中央にあるとする。照明装置の光源として、基準となる電球色の色度のＬＥＤモジュールを用いることが理想的であるが、前述した如く、ＬＥＤモジュールが発する光の色度にばらつきがあるため、ばらつきが所定の範囲内にあるＬＥＤモジュールを用いるのが一般的である。領域Ａを中心とする平行四辺形で囲まれた領域Ｒ内にある電球色のＬＥＤモジュールを照明装置の光源として用いる。領域Ｒ内の領域Ａを囲繞する領域をＢ，Ｃ，Ｄ，Ｅ，Ｆ，Ｇ，Ｈ，Ｉの８つの領域（ランク）に分ける。例えば、領域Ｈにある（ランクＨの）ＬＥＤモジュールは、青がかった電球色の光を発する。同一領域内にある、換言すると同じランクであるＬＥＤモジュールを、同一の照明装置１０のＬＥＤモジュール２，２…として用いている。即ち、１つの照明装置１０は１つのランクのＬＥＤモジュールで構成する。これにより、照明装置１０内の複数のＬＥＤモジュール２，２…間の色度のばらつきを抑制することができる。
【００２８】
また、ＬＥＤモジュールが発する光の色度は、図６中に実線にて示すように、ＬＥＤモジュールの温度に応じて変化する。なお、図６中のＴ１，Ｔ２及びＴ３はＬＥＤモジュールの温度を示しており、Ｔ１＜Ｔ２＜Ｔ３（例えば、Ｔ１＝５５℃、Ｔ２＝６０℃、Ｔ３＝６５℃）である。ＬＥＤモジュールの温度の高／低に応じてＬＥＤモジュールが発する光の色度は色温度の高い方／低い方に偏倚する。これは、温度の上昇に伴い、ＬＥＤモジュールの発光スペクトルが、図５中に破線にて示すように変化することに起因する。このとき青色に対応する波長領域よりも、黄色〜赤色に対応する波長領域の方が、減少幅が大となっているのは、蛍光体の波長変換効率が低下するためである。この結果、ＬＥＤモジュールの温度が高くなると、ＬＥＤモジュールからの光は青みが強くなり、色度が色温度の高い方に偏倚することになる。なお、前述した図６中の領域の色度は、ＬＥＤモジュールの温度がＴ２であるときの色度である。
【００２９】
ＬＥＤモジュール２，２…のセラミック基板２１，２１…と放熱器１の伝熱板１１との間には、図４に示すように、伝熱部材としての伝熱シート３，３…が介装してある。伝熱シート３，３…は、シート状をなし、セラミック基板２１，２１…と略同一形状を有しており、例えば、熱伝導性樹脂（例えば、ポリフェニレンサルファイド樹脂）製である。ＬＥＤモジュール２，２…の点灯に伴って該ＬＥＤモジュール２，２…にて発生する熱は、伝熱シート３，３…を介して放熱器１の伝熱板１１に伝達され、さらに放熱板１２，１２…及び連結板に伝達され、自然対流により外部へ放散される。
【００３０】
伝熱シート３，３…として、後述するように、基準となる色度からのＬＥＤモジュール２，２…が発する光の色度のずれに応じて選択された所定の伝熱抵抗を有する伝熱シートが用いられている。図７は、伝熱シートの例を示す図である。図７に示す伝熱シート３ａ、伝熱シート３ｂ及び伝熱シート３ｃは、厚みが夫々ｔ１，ｔ２，ｔ３（ｔ１＜ｔ２＜ｔ３）である。樹脂製の伝熱シートは、金属製の放熱器１よりも熱伝導率が低いため、厚みの増加に伴い、ＬＥＤモジュール２，２…から放熱器１への熱移動量が減少し、伝熱抵抗が大となる。このため、ＬＥＤモジュールの発熱量が同一である場合、ＬＥＤモジュールの温度は、伝熱シート３ａを用いたときが最も低くなり、伝熱シート３ｃを用いたときが、最も高くなる。
【００３１】
放熱器１の伝熱板１１の他面１１ｂの側には、反射体としての反射板４が設けてある。反射板４には、略半球状の凹部を有し、該凹部の略中央に開口部を有する複数の反射部４１，４１…が形成してある。反射部４１，４１…は、反射板４を放熱器１に取付けたときに、ＬＥＤモジュール２，２…の発光部２２，２２…に対応する位置に反射部４１，４１…の開口部が位置するようにしてある。
【００３２】
反射板４の周縁部には、図２に示すように、略円柱状の凹部４２，４２…が設けてある。また、反射板４の周縁には、周壁４３が立設してあり、反射板４は周壁４３の端面を伝熱板１１に当接させて、ネジ４５，４５…を反射板４の凹部４２，４２…に設けられた貫通孔に挿通させ、伝熱板１１に設けられたネジ穴に螺合させることにより放熱器１に固定してある。なお、反射板４は、ステンレス等の金属、反射率の高い塗料を塗布された金属又は高全反射率及び高拡散反射率という光学特性を有する超微細発泡光反射材（例えば、ＭＣＰＥＴ（登録商標））、あるいは光散乱性の金属酸化物（例えば二酸化チタン）等の材料を充填した樹脂材料（例えばポリカーボネート）により形成されている。
【００３３】
ＬＥＤモジュール２，２…からの光は、この反射板４の反射部４１，４１…にて反射されて、ＬＥＤモジュール２，２…の光軸となす角度が所定角度以下になる範囲に含まれることになり、照明装置１０の直下照度が強くなるように配光特性が制御された光が照明装置１０から出射されることになる。
【００３４】
放熱器１の伝熱板１１の側には、フレーム５が設けてある。フレーム５は、円筒部５１と、円筒部５１の一端から直交する方向に径方向に延設された環状の鍔部５２とを有してなる。円筒部５１には、周方向の３カ所から鍔部５２の逆側に延設された延設部５１ａ，５１ａ…が設けてある。
【００３５】
このフレーム５は、円筒５１の他端の側に反射板４を内嵌させて、延設部５１ａ，５１ａ…を放熱器１の固定部１３，１３…に当接させた状態にて、ネジ５３，５３…を延設部５１ａ，５１ａ…に設けられた貫通孔に挿通させ、放熱器１の固定部１３，１３…に設けられたネジ穴に螺合させることにより放熱器１に固定してある。フレーム５の鍔部５２の内面には、ＬＥＤモジュール２，２…を覆うようにカバー６が設けてある。カバー６は、略円板状を有し、ポリカーボネート樹脂等の樹脂製である。
【００３６】
また、放熱器１には、複数の板ばね７，７…が設けてある。板ばね７は、ステンレス鋼等の金属製であり、細長い矩形板を屈曲させて、図２に示すようにＶ字状に形成してある。板ばね７の一側には、矩形板状の固定部７１が設けてあり、屈曲部７２を挟んだ板ばね７の他側には、固定部７１の側に凸状に湾曲し、板ばね７の長手方向に沿う断面形状が円弧状である第１の押圧部７３及び第２の押圧部７４が連設してある。
【００３７】
このような板ばね７，７…は、ネジ１４，１４…を板ばね７，７…の固定部７１，７１…に設けられた貫通孔に挿通させ、放熱器１の固定部１３，１３…に設けられたネジ穴に螺合させることにより、周方向に３等配をなして放熱器１に固定してある。
【００３８】
放熱器１の外側から二枚目の放熱板１２，１２には、取付板８１，８１が夫々放熱板１２，１２と平行をなしてネジ８２，８２…により固定してある。取付板８１，８１の上部には、該取付板８１，８１に直角をなして円板８３が取付けてある。この円板８３は、照明装置本体、特に放熱板４２，４２…の間に埃、水滴等の異物が入り込むことを防止すべく設けてある。
【００３９】
この照明装置１０は、カバー６の側を下側にして、板ばね７，７を照明装置１０の本体の側に押し付けた状態にて天井に設けられた取付孔に下側から挿入し、板ばね７，７の第１の押圧部７３又は第２の押圧部７４を天井に設けられた取付孔の周縁部に斜め上側から当接させることにより、天井に設けられた取付孔に板ばね７，７…を介して固定され、所謂ダウンライトとして用いられる。
【００４０】
このような照明装置１０は、同一室内にて複数用いられることが多い。図８は、同一室内にて複数の照明装置１０，１０…が用いられた例を示す図である。前述した如く、同一の照明装置１０には、同一ランクのＬＥＤモジュールを取付けているから、伝熱シート３，３…として照明光の色度を調整すべく所定の伝熱抵抗を有する伝熱シートを用いなくても、個々の照明装置１０内のＬＥＤモジュール２，２…が発する光の色度のばらつきは抑制されている。ところが、図８に示すように、複数の照明装置１０，１０…のＬＥＤモジュール２，２…のランクが夫々異なる場合、複数の照明装置１０，１０…の照明光は、青がかった電球色の光（ランクＨのＬＥＤモジュール２，２…を有する照明装置１０）、黄がかった電球色の光（ランクＤのＬＥＤモジュール２，２…を有する照明装置１０）等、微妙に色みが異なる電球色の光となる。
【００４１】
照明装置１０は、複数の照明装置１０，１０…間の照明光の色度のばらつきを抑制すべく、以下の手順により製造される。まず、図６に示す領域Ｒ内にあるＬＥＤモジュールを照明装置の光源として採用し、ＬＥＤモジュールを色度に応じてランク分けする。具体的には、基準となる色度からのＬＥＤモジュールが発する光の色度のずれに応じて、換言すると図６中の領域Ａから領域Ｉのうち何れに該当するかに応じてランク分けする。ランク分けを行ったＬＥＤモジュールのうち、同一領域内にある、即ち同じランクのＬＥＤモジュール２，２…を同一の照明装置１０に取付ける。次に、このＬＥＤモジュールのランクに応じて伝熱部材を選択する。伝熱部材として、伝熱抵抗の異なる複数種類の伝熱シートが予め用意してある。図７に示す３種類の伝熱シートを例に説明する。
【００４２】
例えば、図６中の領域ＨにあるＬＥＤモジュールを照明装置１０のＬＥＤモジュール２として用いた場合、ＬＥＤモジュール２が発する光は、青がかった電球色となり、色度は基準となる色度よりも色温度の高い方に偏倚している。このとき、伝熱抵抗が小さい伝熱シート３ａを選択して照明装置１０の伝熱シート３として用いる。この結果、放熱器１から放散される熱量が大きくなるから、ＬＥＤモジュール２の温度を低くすることができ、ＬＥＤモジュール２からの光の色度を色温度の低い方向に調整することができる。伝熱シート３ａの伝熱抵抗を適切に設定することにより、例えば、ＬＥＤモジュール２の温度をＴ１にすることができ、この結果、ＬＥＤモジュール２が発する光の色度を領域Ａ内になるようにすることができる。
【００４３】
一方、図６中の領域ＤにあるＬＥＤモジュールを照明装置１０のＬＥＤモジュール２として用いた場合は、ＬＥＤモジュール２が発する光は、黄がかった電球色となり、色度は基準となる色度よりも色温度の低い方に偏倚している。このとき、伝熱抵抗が大きい伝熱シート３ｃを選択して照明装置１０の伝熱シート３として用いる。この結果、放熱器１から放散される熱量が小さくなるから、ＬＥＤモジュール２の温度を高くすることができ、ＬＥＤモジュール２からの光の色度を色温度の高い方向に調整することができる。伝熱シート３ａの伝熱抵抗を適切に設定することにより、例えば、ＬＥＤモジュール２の温度をＴ３にすることができ、この結果、ＬＥＤモジュール２が発する光の色度を領域Ａ内になるようにすることができる。
【００４４】
なお、調整後のＬＥＤモジュール２が発する光の色度は、基準となる電球色の色度がある領域Ａの範囲内になるように、又は領域Ｒの範囲がより狭くなる方向に調整してあればよい。なお、領域Ｈ及びＤを例に説明したが、領域Ｈ及びＤ以外の領域についても、適切な伝熱抵抗を有する伝熱シートを選択して伝熱シート３として用いることにより、同様に、色度のばらつきを抑制する方向、換言すると、領域Ｒの範囲がより狭い範囲になるように、ＬＥＤモジュール２が発する光の色度を調整することができる。
【００４５】
以上のように、ＬＥＤモジュールを基準となる色度からのずれに応じてランク分けし、ランク分けを行ったＬＥＤモジュールのうち同一領域内にある同じランクのＬＥＤモジュールを照明装置１０に取付け、該ＬＥＤモジュール２，２…のランクに応じた一種類の伝熱シートを複数種類ある伝熱シートから選択して伝熱シート３，３…として用いているから、ＬＥＤモジュール２，２…が発する光の色度が前記基準となる色度よりも色温度の高い方（／低い方）に偏倚している場合に、伝熱抵抗が小（／大）である伝熱シートを選択することにより、ＬＥＤモジュール２，２…が発する光の青色と黄色とを結ぶ方向の色度を補正して、照明装置１０の照明光の色度を基準となる色度に近づけることができる。この結果、適切な伝熱抵抗の伝熱シート３，３…を設けるという簡易な構成にて、複数の照明装置１０，１０…間の色度のばらつきを抑制することができる。
【００４６】
なお、本実施の形態においては、複数種類の伝熱シートとして、厚みの異なる一枚の伝熱シートを複数種類用意するようにしてあるが、これに限定されず、伝熱シートの枚数を異ならせることにより厚みを異ならせるようにしてもよい。
【００４７】
また、本実施の形態においては、照明装置１０のＬＥＤモジュール２，２…に同一ランクのＬＥＤモジュールを用いているが、これに限定されず、同一の照明装置１０のＬＥＤモジュール２，２…に異なるランクのＬＥＤモジュールを用いてもよい。
【００４８】
図９は、同一の照明装置１０のＬＥＤモジュール２，２…に異なるランクのＬＥＤモジュールを用いた例を示す図である。この場合、領域ＨにあるＬＥＤモジュール２，２に対しては伝熱シート３ａを、領域ＡにあるＬＥＤモジュール２，２に対しては伝熱シート３ｂを、領域ＤにあるＬＥＤモジュール２，２に対しては伝熱シート３ｃを夫々選択することにより、ＬＥＤモジュール２，２…が発する光の色度を領域Ａの範囲又は近傍にあるようにすることができる。説明の便宜上、領域Ｈ，Ａ，Ｄと伝熱シート３ａ，３ｂ，３ｃとの対応について説明したが、他の領域についても色度のばらつきを抑制すべく、同様に適用することができる。
【００４９】
以上のように、ＬＥＤモジュール２，２…のランクに応じて伝熱抵抗の異なる複数種類の伝熱シートから１種類の伝熱シートを選択して伝熱シート３，３…として用いることにより、照明装置１０内の複数のＬＥＤモジュール２，２…が発する光の青色と黄色とを結ぶ方向の色度のずれを補正して、複数のＬＥＤモジュール２，２…間の色度のばらつきを抑制することができる。この結果、複数の照明装置１０，１０…間の照明光の色度のばらつきも抑制することができる。
【００５０】
（実施の形態２）
図１０は、伝熱シートの他の例を示す図である。図１０に示す伝熱シート３ｄ、伝熱シート３ｅ及び伝熱シート３ｆは、同一厚みを有しており、伝熱面積を異ならせている。伝熱シート３ｄの伝熱面積は、ＬＥＤモジュール２のセラミック基板２１の面と略同一面積に、伝熱シート３ｆの伝熱面積は、ＬＥＤモジュール２の発光部２２の発光面と略同一面積に、伝熱シート３ｅの伝熱面積は、伝熱シート３ｄ及び伝熱シート３ｆの間の面積にしてある。ＬＥＤモジュール２，２…から放熱器１への熱移動量は、同一の材料及び厚みの伝熱シートを用いている場合、伝熱面積の大／小に応じて、大／小となる。このため、ＬＥＤモジュールの発熱量が同一である場合、ＬＥＤモジュールの温度は、伝熱シート３ｄを用いたときが最も低くなり、伝熱シート３ｆを用いたときが、最も高くなる。
【００５１】
この結果、ＬＥＤモジュール２，２…が発する光の色度が前記基準となる色度よりも色温度の高い方に偏倚している場合に、伝熱抵抗が小である伝熱シート３ｄを選択することにより、ＬＥＤモジュール２，２…が発する光の色度を色温度の低い方向に調整することができる一方、ＬＥＤモジュール２，２…が発する光の色度が前記基準となる色度よりも色温度の低い方に偏倚している場合に、伝熱抵抗が大である伝熱シート３ｆを選択することにより、ＬＥＤモジュール２，２…が発する光の色度を色温度の高い方向に調整することができる。この結果、照明装置１０の照明光の色度を基準となる色度に近づけることができ、適切な伝熱抵抗の伝熱シート３，３…を設けるという簡易な構成にて、複数の照明装置１０，１０…間の色度のばらつきを抑制することができる。
【００５２】
なお、実施の形態１及び２においては、異なる伝熱抵抗を有する伝熱部材として、厚みが異なる伝熱シート又は伝熱面積が異なる伝熱シートを夫々用いているが、これに限定されず、異なる伝熱抵抗を有していればよい。伝熱シートの材料を異ならせてもよいし、シートの枚数を異ならせることを含む厚み、伝熱面積及び材料のうち少なくとも一つを異ならせることにより、異なる伝熱抵抗を有するようにしてもよい。
【００５３】
また、本実施の形態においては、複数種類の伝熱部材として、３種類の伝熱シートを用いているが、４種類以上の伝熱シートを用いてよいのは言うまでもない。
【００５４】
（実施の形態３）
以上の実施の形態１及び２においては、ＬＥＤモジュール２として、電球色のＬＥＤモジュールを用いた場合について説明したが、電球色に限定されず、疑似白色のＬＥＤモジュールを用いた場合についても、同様に、伝熱部材により照明光の色度を調整することが考えられる。
【００５５】
図１１は、疑似白色のＬＥＤモジュールが発する光の色度のばらつきの説明図である。図１１は、ＸＹＺ表色系のｘｙ色度図における疑似白色の色度座標近傍を拡大して示している。基準となる疑似白色の色度の座標は、図中の領域Ｋの略中央にあるとする。照明装置の光源として、領域Ｋと、その両側の領域Ｊ及びＬの範囲にある疑似白色のＬＥＤモジュールを用いる。なお、疑似白色のＬＥＤモジュールは、青色ＬＥＤ素子と、該青色ＬＥＤ素子からの光により励起されて発光する黄色蛍光体とを備えるため、疑似白色のＬＥＤモジュールにおいては、図１１に示すように、青色と黄色とを結ぶ方向への色度のばらつきが生じる。
【００５６】
照明装置１０は、複数の照明装置１０，１０…間の照明光の色度のばらつきを抑制すべく、以下の手順により製造される。まず、実施の形態１及び２と同様に、ＬＥＤモジュールを色度に応じて（領域Ｊから領域Ｌのうち何れに該当するかに応じて）ランク分けし、ランク分けを行ったＬＥＤモジュールのうち、同一領域内にある同じランクのＬＥＤモジュールを同一の照明装置に取付ける。これにより、同一照明装置内の複数のＬＥＤモジュール間の色度のばらつきを抑制することができる。次に、このＬＥＤモジュールのランクに応じて伝熱抵抗の異なる複数種類の伝熱シートから一つの伝熱シートを伝熱シート３，３…として選択して、ＬＥＤモジュール２，２…のセラミック基板２１，２１…と放熱器１の伝熱板１１との間に介装する。複数種類の伝熱シートとして、実施の形態１又は２に係る伝熱シートを用いる。
【００５７】
この結果、ＬＥＤモジュール２，２…が発する光の色度が前記基準となる色度よりも色温度の高い方に偏倚している場合に、伝熱抵抗が小である伝熱シートを選択することにより、ＬＥＤモジュール２，２…が発する光の色度を色温度の低い方向に調整することができる一方、ＬＥＤモジュール２，２…が発する光の色度が前記基準となる色度よりも色温度の低い方に偏倚している場合に、伝熱抵抗が大である伝熱シートを選択することにより、ＬＥＤモジュール２，２…が発する光の色度を色温度の高い方向に調整することができる。この結果、照明装置１０の照明光の色度を基準となる色度に近づけることができ、適切な伝熱抵抗の伝熱シートを設けるという簡易な構成にて、複数の照明装置１０，１０…間の色度のばらつきを抑制することができる。
【００５８】
（実施の形態４）
以上の実施の形態においては、照明装置の照明光の色度を調整するために、ＬＥＤモジュールの発する光の色度が温度依存性を有することを利用しているが、これに加えて、フィルタ等の色度調整部材を用いて所定の波長領域の光を吸収することにより照明光の色度を調整することが考えられる。
【００５９】
図１２は、他の実施の形態に係る照明装置２０のＬＥＤモジュール２近傍の部分拡大図である。フレーム５の鍔部５２の内面には、ＬＥＤモジュール２，２…を覆うように色度調整部材としてのフィルタ９が設けてある。なお、フィルタ９は、ＬＥＤモジュール２，２…を覆うカバーを兼ねている。
【００６０】
フィルタ９は、図１２に示すように、略円板状を有し、ポリカーボネート樹脂等の透明樹脂製である透光板部９１と、該透光板部９１の一面に、染料、顔料等の所定の波長領域の光を吸収する光吸収媒質を蒸着することにより形成された光吸収膜９２とを有してなる。フィルタ９は、光吸収膜９２の側がＬＥＤモジュール２，２…の側になるようにフレーム５に取付けてある。このフィルタ９は、ＬＥＤモジュール２，２…からの光のうち、所定の波長領域の光を光吸収膜９２にて吸収して、所定の波長領域の光の透過を制限する。その他の構成は、図４に示す実施の形態１と同様であるため、対応する構成部材に図４と同一の参照符号を付して、その構成の詳細な説明を省略する。
【００６１】
まず、フィルタ９を用いて照明光の色度を調整する方法について説明する。図１３は、フィルタ９による所定の波長領域の光の吸収の説明図である。横軸は波長を、縦軸は比エネルギを夫々示している。なお、図中の実線は、基準となる電球色光のスペクトルを示している。フィルタ９として、青色の補色である黄色の光吸収媒質が蒸着されたフィルタ９を用いたとき、フィルタ９は、光吸収膜９２により青色に対応する波長領域の光の成分を吸収する。この結果、図１３中に白抜き矢符にて示すように該波長領域の光の成分が減少し、この減少分に応じて照明光の色度が色温度の低い方向に調整される。吸収したい対象色が、赤色であるときは青緑色の光吸収媒質を、緑色であるときは赤紫色の光吸収媒質を、それ以外の色であるときはこれら３種の光吸収媒質のうち２種以上を混合して得られる光吸収媒質を用いる。このように、吸収したい対象色に応じた光吸収媒質を透光板部９１に蒸着してなるフィルタ９を用いることにより、該対象色に対応する波長領域の光の透過を制限して、照明光の色度を調整することができる。
【００６２】
図１４は、フィルタ９による色度の調整の説明図である。図１４は、ＸＹＺ表色系のｘｙ色度図における電球色の色度座標近傍を拡大して示している。領域の分け方は、図６に示す実施の形態１と同様であるため、説明を省略する。フィルタとして、図１４中の領域Ｂから領域Ｉ夫々に対応して、吸収する光の波長領域及び／又は量が異なる８種類のフィルタを用意する。なお、これら８種類のフィルタは、各ランクのＬＥＤモジュールからの照明光の色度が、領域Ａ内になるように選定してある。
【００６３】
例えば、図１４中の領域ＨにあるＬＥＤモジュールをＬＥＤモジュール２として用いた場合、ＬＥＤモジュール２が発する光は、青がかった電球色となり、図１３中に破線にて示すように、青色に対応する波長領域の光の成分が多くなっている。このとき、８種類のフィルタから青色の補色である黄色の光吸収媒質が蒸着されたフィルタを選択して用いる。この結果、図１３中に白抜き矢符にて示すように該波長領域の光の成分が減少するから、実線にて示す基準となるスペクトルに近づけることができ、ＬＥＤモジュール２からの光の色度を領域Ａ内になるようにすることができる。
【００６４】
照明装置２０は、複数の照明装置間の照明光の色度のばらつきを抑制すべく、以下の手順により製造される。まず、図１４に示す領域Ｒ内にあるＬＥＤモジュールを照明装置２０の光源として採用し、ＬＥＤモジュール２，２…を色度に応じてランク分けする。ＬＥＤモジュール２，２…夫々のランクに応じて伝熱抵抗の異なる複数種類の伝熱シートから１種類の伝熱シートを伝熱シート３，３…として各選択して、ＬＥＤモジュール２，２…のセラミック基板２１，２１…と放熱器１の伝熱板１１との間に介装する。複数種類の伝熱シートとして、例えば、実施の形態１に係る伝熱シートを用いる。
【００６５】
同一の照明装置１０のＬＥＤモジュール２，２…に異なるランクのＬＥＤモジュールを、図９に示すように取付けた場合、領域ＨにあるＬＥＤモジュール２，２に対しては伝熱シート３ａを、領域ＡにあるＬＥＤモジュール２，２に対しては伝熱シート３ｂを、領域ＤにあるＬＥＤモジュール２，２に対しては伝熱シート３ｃを夫々選択することにより、ＬＥＤモジュール２，２…が発する光の色度を領域Ａの範囲又は近傍にあるようにすることができる。説明の便宜上、領域Ｈ，Ａ，Ｄと伝熱シート３ａ，３ｂ，３ｃとの対応について説明したが、他の領域についても色度のばらつきを抑制すべく、同様に適用することができる。以上のように、ＬＥＤモジュール２，２…のランクに応じて伝熱抵抗の異なる複数種類の伝熱シートから選択することにより、まず、照明装置２０内のＬＥＤモジュール２，２…が発する光の色度のばらつきが小さくなるように、フィルタがない状態での複数の照明装置夫々の照明光の色度を調整する。
【００６６】
次に、調整後の複数の照明装置夫々の照明光の色度のずれに応じてランク分けし、ランク分けに応じたフィルタを各選択して複数の照明装置夫々に取付ける。
【００６７】
以上により、照明装置２０内の複数のＬＥＤモジュール２，２…間の色度のばらつきを抑制するとともに、複数の照明装置間の色度のばらつきを更に抑制することができる。
【００６８】
なお、本実施の形態においては、電球色のＬＥＤモジュールをＬＥＤモジュール２，２…として用いているが、これに限定されず、疑似白色のＬＥＤモジュールについても同様に適用することができる。
【００６９】
（実施の形態５）
色度調整部材を用いて照明光の色度を調整する他の方法について説明する。まず、基準となる色度からのＬＥＤモジュールが発する光の色度のずれに応じてＬＥＤモジュールをランク分けし、照明装置２０内のＬＥＤモジュール２，２…には、同一領域内にある、即ち同じランクのＬＥＤモジュールを用いる。これにより、照明装置２０内の複数のＬＥＤモジュール２，２…間の色度のばらつきは抑制される。次に、ＬＥＤモジュール２，２…のランクに応じて伝熱抵抗の異なる複数種類の伝熱シートから１種類の伝熱シートを伝熱シート３，３…として選択して、ＬＥＤモジュール２，２…のセラミック基板２１，２１…と放熱器１の伝熱板１１との間に介装する。これにより、フィルタがない状態での複数の照明装置夫々の照明光の青色と黄色とを結ぶ方向の色度を調整する。この後、調整後の複数の照明装置夫々の照明光の赤と青緑とを結ぶ方向の色度のずれに応じてランク分けし、ランク分けに応じたフィルタを各選択して複数の照明装置夫々のフィルタ９として用いる。
【００７０】
以上のように、青色と黄色とを結ぶ方向の色度は伝熱シート３，３…により調整し、赤と青緑とを結ぶ方向の色度はフィルタ６により調整することにより照明光の色度を調整しているから、予め用意するフィルタの種類を少なくしつつ、複数の照明装置間の色度のばらつきを抑制することができる。
【００７１】
なお、以上の実施の形態４及び５においては、フィルタとして、透光板部９１と、該透光板部９１の一面に、染料、顔料等の所定の波長領域の光を吸収する光吸収媒質を蒸着することにより形成された光吸収膜９２とを有するフィルタ９を用いているが、これに限定されず、染料、顔料等の所定の波長領域の光を吸収する光吸収媒質を透明樹脂に練り込み、一体成形したフィルタを用いてもよい。
【００７２】
また、実施の形態４及び５においては、ＬＥＤモジュール２，２…を覆うように設けられたフィルタ９にて所定の波長領域の光を吸収することにより、照明光の色度を調整するように構成してあるが、ＬＥＤモジュール２，２…からの光をＬＥＤモジュール２，２…の光軸となす角度が所定角度以下になる範囲に含むように反射する反射板４を色度調整部材として用いてもよい。この場合、反射板４の反射部４１の表面に、染料、顔料等の所定の波長領域の光を吸収する光吸収媒質を塗布することにより形成された光吸収膜を形成する。
【００７３】
なお、以上の実施の形態においては、光源として複数のＬＥＤ素子が実装されてなるＬＥＤモジュールを用いているが、これに限定されず、高輝度のＬＥＤチップ、他のタイプのＬＥＤ等を用いてもよい。
【００７４】
また、以上の実施の形態おいては、照明装置としてダウンライトを例に説明したが、ダウンライトに限定されず、例えば、天井に設けられ、部屋全体を照明する扁平な直方体形状を有する所謂シーリングライトにも適用可能であり、その他、特許請求の範囲に記載した事項の範囲内において種々変更した形態にて実施することが可能であることは言うまでもない。
【図面の簡単な説明】
【００７５】
【図１】本発明の実施の形態１に係る照明装置の外観斜視図である。
【図２】照明装置の模式的側面図である。
【図３】図２の III−III 線による矢視図である。
【図４】ＬＥＤモジュール近傍の部分拡大図である。
【図５】電球色のＬＥＤモジュールが発する光の分光分布の概念図である。
【図６】電球色のＬＥＤモジュールが発する光の色度のばらつきの説明図である。
【図７】伝熱シートの例を示す図である。
【図８】同一室内にて複数の照明装置が用いられた例を示す図である。
【図９】同一の照明装置のＬＥＤモジュールに異なるランクのＬＥＤモジュールを用いた例を示す図である。
【図１０】伝熱シートの他の例を示す図である。
【図１１】疑似白色のＬＥＤモジュールが発する光の色度のばらつきの説明図である。
【図１２】他の実施の形態に係る照明装置のＬＥＤモジュール近傍の部分拡大図である。
【図１３】フィルタによる所定の波長領域の光の吸収の説明図である。
【図１４】フィルタによる色度の調整の説明図である。
【符号の説明】
【００７６】
１  放熱器
２  ＬＥＤモジュール（光源，ＬＥＤ）
３，３ａ，３ｂ，３ｃ，３ｄ，３ｅ，３ｆ  伝熱シート（伝熱部材）
【図１】
2010044873.tif 000003
【図２】
2010044873.tif 000004
【図３】
2010044873.tif 000005
【図４】
2010044873.tif 000006
【図５】
2010044873.tif 000007
【図６】
2010044873.tif 000008
【図７】
2010044873.tif 000009
【図８】
2010044873.tif 000010
【図９】
2010044873.tif 000011
【図１０】
2010044873.tif 000012
【図１１】
2010044873.tif 000013
【図１２】
2010044873.tif 000014
【図１３】
2010044873.tif 000015
【図１４】
2010044873.tif 000016